(57)【要約】      （修正有）【課題】照明と音声でリラックスさせ、人が眠りに入るのを補助する安眠装置の構造を提供する。  【解決手段】主にデータ処理ユニット、光源装置、音源装置、コントロールインターフェイス及びディスプレイを含む。データ処理ユニットは光源漸進モジュール、音声漸進モジュール及び時間設定モジュールを含む。光源漸進モジュールは光源装置の照明光度の調節、音源漸進モジュールは音源装置のボリューム調整、時間設定モジュールは光源装置及び音源装置のオンオフの時間及び作動時間の調整を行うことで、照明及びボリュームを漸進的に作動させることで、人体がリラックスして安眠できる環境を作り出す。【選択図】図１
0003152726.tif 000002
【実用新案登録請求の範囲】
【請求項１】
データ処理ユニット、光源装置及びコントロールインターフェイスを含み、
光源装置及びコントロールインターフェイスはデータ処理ユニットと電気接続し、
該データ処理ユニットは光度の調整をする光源装置の光源漸進モジュール及び、光源装置の作動時間をコントロールする時間設定モジュールを含み、及び、
該コントロールインターフェイスは光源漸進モジュール及び時間設定モジュールに対し、データ設定を行い、及び、
該光源装置は光源漸進モジュール及び時間設定モジュールの設定するデータに基づき照明の光度を変化することを特徴とする安眠装置。
【請求項２】
ディスプレイと台座及びケースを含み、
該ディスプレイは光源漸進モジュールと、時間設定モジュールのデータ設定状態及び、光源装置の作動状態を表示し、データ処理ユニットを電気接続し、
該台座に光源装置及びデータ処理ユニットを設置し、
該ケースにコントロールインターフェイス及びディスプレイを設置し、ケースに少なくとも一つの透光面と、複数の放熱穴を具有することを特徴とする請求項1記載の安眠装置。
【請求項３】
データ処理ユニットの設定するデータに基づかず、直接光源装置を作動できるスイッチを具有し、当該光源装置はブルーライトのLEDランプとすることを特徴とする請求項1記載の安眠装置。
【請求項４】
データ処理ユニット、音源装置及びコントロールインターフェイスを含み、
該音源装置及びコントロールインターフェイスはデータ処理ユニットと電気接続し、
該データ処理ユニットはボリュームの調整をする音源装置の音源漸進モジュール及び、音源装置の作動時間をコントロールする時間設定モジュールを含み、及び、
該コントロールインターフェイスは光源漸進モジュール及び時間設定モジュールに対し、データ設定を行い、及び、
該音源装置は音源漸進モジュール及び時間設定モジュールの設定するデータに基づきボリュームを調整することを特徴とする安眠装置。
【請求項５】
該ディスプレイは音源漸進モジュールと、時間設定モジュールのデータ設定状態及び、音源装置の作動状態を表示し、データ処理ユニットと電気接続し、
該台座に音源装置及びデータ処理ユニットを設置し、
該ケースにコントロールインターフェイス及びディスプレイを設置し、ケースに少なくとも一つの音源穴を具有し、及び
データ処理ユニットの設定するデータに基づかず、直接音源装置を作動できるスイッチを具有することを特徴とする請求項4記載の安眠装置。
【請求項６】
データ処理ユニット、光源装置、音源装置及びコントロールインターフェイスを含み、
該光源装置、音源装置及びコントロールインターフェイスはデータ処理ユニットと電気接続し、
該データ処理ユニットは光度の調整をする光源装置の光源漸進モジュール及び、ボリュームの調整をする音源装置の音源漸進モジュール及び、光源装置と音源装置の作動時間をコントロールする時間設定モジュールを含み、
該コントロールインターフェイスは光源漸進モジュール、音源漸進モジュール及び時間設定モジュールに対し、データ設定を行い、及び、
該光源装置は光源漸進モジュール及び時間設定モジュールの設定するデータに基づき、照明の光度を変え、音源装置は音源漸進モジュール及び時間設定モジュールの設定するデータに基づきボリュームを調整することを特徴とする安眠装置。
【請求項７】
前記ディスプレイは光源漸進モジュール、音源漸進モジュール及び時間設定モジュールのデータ設定状態及び、光源装置と音源装置の執行状態を表し、データ処理ユニットと電気接続することを特徴とする請求項6記載の安眠装置。
【請求項８】
前記台座は光源装置、音源装置及びデータ処理ユニットを設置し、
前記ケースはコントロールインターフェイス及びディスプレイを設置し、該ケースに少なくとも一つの透光面及び音源穴を具有し、
該データ処理ユニットの設定するデータに基づかず、直接光源装置を作動できるスイッチを具有することを特徴とする請求項7記載の安眠装置。
【考案の詳細な説明】
【技術分野】
【０００１】
本考案は安眠装置の構造に関し、特に照明とサウンド装置を用いて、照明とサウンドの微調整により、次第に体と気持ちを落ち着かせることで、ゆったりと眠りにつけるのを補助する効果を持つ安眠装置の構造に関する。
【背景技術】
【０００２】
一生のうち約三分の一の時間が睡眠に費やされているため、睡眠状態は生理面や心理面及び情緒の健康のいずれに対しても重大な係わり合いがある。睡眠は同時に命を維持していく上での基本要件であり、空気や食べ物、水と同じく、健康の礎となる。睡眠が邪魔された場合、体の機能が有効的に働かなくなり、良い睡眠を取ったとき、体がしっかりと休息を得られれば、新しい一日をゆったりと落ち着いた気持ちで迎えることができる。
【０００３】
通常人体の生体時計は夜の訪れや、暗くなっていく光と、静まっていく騒音と共に、容易く心境と情緒を変え始めることが分かっている。昼間の高ぶった神経は、照明が暗く、柔らかな光になっていくのに連れ、リラックスできるBGMを合わせれば、人体の視覚や聴覚を緩和させる効果がある。また、一日中働きづめの目や耳を軽く揉みほぐすのも、癒し効果がある。よって、照明と音は最も直接心を変える外在要素である。  
【０００４】
睡眠の品質が人体に対する重要性や、照明と音が人体の生体時計に与える影響を鑑みて、考案者は照明と音声装置を具有し、漸進的で柔和な照明と音声で情緒をリラックスさせることで、生体時計を調整し、穏やかな気持ちで寝入ることができる安眠装置を案出した。
【特許文献１】特開２００５−１３７５４号公報
【考案の概要】
【考案が解決しようとする課題】
【０００５】
本考案は照明と音声装置を具有し、漸進的な照明と音声で気持ちをリラックスさせ、緩和的に人体が眠りに入るのを補助する安眠装置を提供することを主な課題とする。
【課題を解決するための手段】
【０００６】
該安眠装置はデータ処理ユニット、光源装置、音源装置、コントロールインターフェイス及びディスプレイを含む。当該光源装置、音源装置、コントロールインターフェイス及びディスプレイはそれぞれデータ処理ユニットと電気接続する。該データ処理ユニットは光源漸進モジュール、音声漸進モジュール及び時間設定モジュールを含む。該光源漸進モジュールは光源装置の照明光度の調節、該音源漸進モジュールは音源装置のボリューム調整、時間設定モジュールは光源装置及び音源装置のオンオフの時間及び作動時間の調整を行う。
【０００７】
該コントロールインターフェイスは光源漸進モジュール、音源漸進モジュール及び時間設定モジュールに対しデータ設定を行うことができる。該ディスプレイに光源漸進設定モジュール、音源漸進設定モジュール及び時間設定モジュールのデータ設定状態及び作動過程の状態を表すことができる。
【０００８】
コントロールインターフェイスを通じて光源漸進モジュール及び時間設定モジュールにデータ設定を行うと、該光源装置は光源漸進モジュール及び時間設定モジュールのデータに基づき、設定した時間に照明光度を調整する。同時にコントロールインターフェイスを通じて音源漸進モジュール及び時間設定モジュールにデータ設定を行うと、該音源装置は音源漸進モジュール及び時間設定モジュールのデータに基づき、設定した時間にボリュームを調整する。
【０００９】
本考案の安眠装置は光源或いは音源の単一の漸進パターン、或いは光源及び音源を統合した漸進パターンに、柔和な照明及びリラックスできる音楽を流すことで感化を受け、有効的に一日中働きづめだった目と耳に溜まったストレスをほぐし、生体時計を正常に戻し、徐々にゆったりとした気持ちにさせる。人体を興奮、元気のある状態から、穏やかな方法で次第に情緒を疲労、休息の必要となる状況に切り替えることで、緩和的にストレス解除及び安眠の効果に達する。
【考案の効果】
【００１０】
本考案の光源装置、音源装置を具有することで、照明及び音楽を調整することにより気持ちがリラックスし、生体時計を正常に戻しつつ、体が休める環境を作り出すことで、ストレス解除及び安眠効果に達する。  
【図面の簡単な説明】
【００１１】
【図１】本考案の構造略図である。
【図２】本考案の立体分解略図である。
【図３】本考案の外観立体略図である。
【図４】図3のA‐A部分の断面略図である。
【図５】本考案を寝室に応用した略図である。
【図６】本考案をサイドテーブルに置いた応用略図である。
【考案を実施するための形態】
【００１２】
本考案は照明または音声のある環境、或いは照明及び音声のある環境を作り出す安眠装置である。照明及び音声を通じて、柔和で漸進的に人体をリラックスさせ、緩和的に安眠効果に達するよう補助する安眠装置である。  
【００１３】
図1に示すのは本考案の「安眠装置」の構造略図である。それに含まれるのはデータ処理ユニット11、光源装置12、音源装置13、コントロールインターフェイス14及びディスプレイ15である。
【００１４】
該光源装置12、音源装置13、コントロールインターフェイス14及びディスプレイ15はそれぞれデータ処理ユニット11と電気接続する。該データ処理ユニット11は光源漸進モジュール111、音声漸進モジュール112及び時間設定モジュール113を含む。該光源漸進モジュール111により光源装置12が照明光度を調節するため、照明光度を次第に暗く或いは次第に明るく微調整することができる。該音源漸進モジュール112により音源装置13がボリュームを調整するため、ボリュームを次第に小さく或いは次第に普通のボリュームに微調整することができる。時間設定モジュール113は光源装置12及び音源装置13のオンオフの時間及び作動時間の調整を行う。設定した時間内で照明の光度を次第に暗く、或いはボリュームを次第に小さくすることで、人体の生体時計を調節し、睡眠状態に入りやすくさせる。
【００１５】
該コントロールインターフェイス14は光源漸進モジュール111、音源漸進モジュール112及び時間設定モジュール113に対し、データ設定を行う。該光源装置12は光源漸進モジュール111及び時間設定モジュール113の設定するデータにより、次第に光度を落として消灯する。該音源装置13は音源漸進モジュール112及び時間設定モジュール113の設定するデータによりボリュームを次第に落としていく。該ディスプレイ15は光源漸進モジュール111、音源漸進モジュール12及び時間設定モジュール113のデータ設定状態を表し、及び光源装置12と音源装置13の作動状況を表す。
【００１６】
コントロールインターフェイス14を通じて光源漸進モジュール111及び時間設定モジュール113をデータ設定すると、該光源装置12は光源漸進モジュール111及び時間設定モジュール113のデータに基づき、設定した時間に柔和に照明を変化することができる。また、コントロールインターフェイス14を通じて音源漸進モジュール112及び時間設定モジュール113をデータ設定すると、該音源装置13は音源漸進モジュール112及び時間設定モジュール113のデータに基づき、設定した時間にボリュームを調整することができる。また、同時に光源及び音声両方を設定することができ、ユーザーは生体時計を正常に戻すことで、徐々に気持ちを落ち着かせ、安眠効果に達する。
【００１７】
図2から図4に示すのは、本考案の実態構造形態の実施略図である。それに具有するのはデータ処理ユニット11、光源装置12及び音源装置13を設置する台座21、及びコントロールインターフェイス14及びディスプレイ15を設置するケース22である。該ケース22は台座21を覆う形で設置し、該ケース22は少なくとも一つの透光面221、音源穴222及び放熱穴223を具有する。該透光面221は透光性のある材質を用いるため、光源装置12が発する光は全てケース22を通り抜ける。該光源装置12はブルーライトのLEDランプである。日本の研究レポートによると、ブルーライトは人体の情緒とストレスを有効的に緩和し、犯罪率を下げることが分かっている。本考案は単一のブルーライトを柔和で漸進式に変化させることで、心を癒す効果をもたらす。音源装置13の発する音声がケース22にある音源穴222より漏れる。放熱穴223は光源装置12が生じる熱をケース22の外に放熱する。
【００１８】
該安眠装置は光源装置12及び音源装置13をデータ処理ユニット11にて設定するデータに基づかず、直接作動をコントロールできるスイッチ23を具有する。このスイッチにより、本考案を一般のライト或いはナイトライトとして使用することができる。
【００１９】
図5に示すのは、本考案を寝室に実施する略図である。光源装置12は光源漸進モジュール111及び時間設定モジュール113のデータに基づき、設定した時間に照明を次第に落とし、音源装置13は音源漸進モジュール112及び時間設定モジュール113のデータに基づき、設定した時間にボリュームを次第に落とす。(仮に開始時間を10時、作動時間を90分と設定すれば、光源装置12及び音源装置13は10時に起動し、90分間照明とボリュームを次第に変化する)。波の音など、リラックスできる音楽を普通のボリュームからミュートになるまで、少しずつ気持ちを落ち着かせる。それにより脳もゆっくりと休息状態に入り、安眠効果に達する。また、応用方法としては、目覚まし時計として使用することもできる。時間設定モジュール113を通じて音源装置13に時間設定を行う。予定時間に作動する、或いは予定時刻より三十分前より音源装置13を作動し、始めは最小音量から柔らかい音楽を流し、予定時間には普通のボリュームになることで、ユーザーがゆっくりと目覚めることができる。
【００２０】
図6に示すのは、本考案をテーブルライト或いはオーディオとして応用した実施略図である。該安眠装置は漸進設定を通じて、心及び情緒を調整できるほか、直接デスクライト或いはオーディオとして使用することができる。直接スイッチ23を入れると、光源装置12及び音源装置13はデータ処理ユニット11の設定したデータに基づかず、直接照明及び音楽の放送をコントロールすることができる。
【産業上の利用可能性】
【００２１】
本考案の「安眠装置」は照明と音声を調整することで、柔和で漸進的に人体の情緒と気持ちを緩和し、相対的に生体時計を正常化することで、興奮した元気のある状態から、柔和な照明と音量の変化で、一日中働きづめだった目と耳に溜まったストレスを解除し、気持ちを落ち着かせると同時に、癒す効果も与えるなど、ゆったりと睡眠状態に入っていける安眠効果がある。
【符号の説明】
【００２２】
11 データ処理ユニット
111 光源漸進モジュール
112 音源漸進モジュール
113 時間設定モジュール
12 光源装置
13 音源装置
14 コントロールインターフェイス
15 ディスプレイ
21 台座
22 ケース
221 透光面
222 音源穴
223 放熱穴
23  スイッチ
【図１】
0003152726.tif 000003
【図２】
0003152726.tif 000004
【図３】
0003152726.tif 000005
【図４】
0003152726.tif 000006
【図５】
0003152726.tif 000007
【図６】
0003152726.tif 000008
【手続補正書】
【提出日】平成21年6月5日(2009.6.5)
【手続補正１】
【補正対象書類名】実用新案登録請求の範囲
【補正対象項目名】全文
【補正方法】変更
【補正の内容】
【実用新案登録請求の範囲】
【請求項１】
データ処理ユニット、光源装置及びコントロールインターフェイスを含み、
光源装置及びコントロールインターフェイスはデータ処理ユニットと電気接続し、
該データ処理ユニットは光度の調整をする光源装置の光源漸進モジュール及び、光源装置の作動時間をコントロールする時間設定モジュールを含み、
該コントロールインターフェイスは光源漸進モジュール及び時間設定モジュールに対し、データ設定を行い、
該光源装置は光源漸進モジュール及び時間設定モジュールの設定するデータに基づき照明の光度を変化することを特徴とする安眠装置。
【請求項２】
ディスプレイと台座及びケースを含み、
該ディスプレイは光源漸進モジュールと、時間設定モジュールのデータ設定状態及び、光源装置の作動状態を表示し、データ処理ユニットを電気接続し、
該台座に光源装置及びデータ処理ユニットを設置し、
該ケースにコントロールインターフェイス及びディスプレイを設置し、ケースに少なくとも一つの透光面と、複数の放熱穴を具有することを特徴とする請求項1記載の安眠装置。
【請求項３】
データ処理ユニットの設定するデータに基づかず、直接光源装置を作動できるスイッチを具有し、当該光源装置はブルーライトのLEDランプとすることを特徴とする請求項1記載の安眠装置。
【請求項４】
データ処理ユニット、音源装置及びコントロールインターフェイスを含み、
該音源装置及びコントロールインターフェイスはデータ処理ユニットと電気接続し、
該データ処理ユニットはボリュームの調整をする音源装置の音源漸進モジュール及び、音源装置の作動時間をコントロールする時間設定モジュールを含み、
該コントロールインターフェイスは音源漸進モジュール及び時間設定モジュールに対し、データ設定を行い、
該音源装置は音源漸進モジュール及び時間設定モジュールの設定するデータに基づきボリュームを調整することを特徴とする安眠装置。
【請求項５】
ディスプレイと台座及びケースを含み、
該ディスプレイは音源漸進モジュールと、時間設定モジュールのデータ設定状態及び、音源装置の作動状態を表示し、データ処理ユニットと電気接続し、
該台座に音源装置及びデータ処理ユニットを設置し、
該ケースにコントロールインターフェイス及びディスプレイを設置し、ケースに少なくとも一つの音源穴を具有し、
データ処理ユニットの設定するデータに基づかず、直接音源装置を作動できるスイッチを具有することを特徴とする請求項4記載の安眠装置。
【請求項６】
データ処理ユニット、光源装置、音源装置及びコントロールインターフェイスを含み、  該光源装置、音源装置及びコントロールインターフェイスはデータ処理ユニットと電気接続し、
該データ処理ユニットは光度の調整をする光源装置の光源漸進モジュール及び、ボリュームの調整をする音源装置の音源漸進モジュール及び、光源装置と音源装置の作動時間をコントロールする時間設定モジュールを含み、
該コントロールインターフェイスは光源漸進モジュール、音源漸進モジュール及び時間設定モジュールに対し、データ設定を行い、
該光源装置は光源漸進モジュール及び時間設定モジュールの設定するデータに基づき、照明の光度を変え、音源装置は音源漸進モジュール及び時間設定モジュールの設定するデータに基づきボリュームを調整することを特徴とする安眠装置。
【請求項７】
ディスプレイと台座及びケースを含み、
前記ディスプレイは光源漸進モジュール、音源漸進モジュール及び時間設定モジュールのデータ設定状態及び、光源装置と音源装置の執行状態を表し、データ処理ユニットと電気接続することを特徴とする請求項6記載の安眠装置。
【請求項８】
前記台座は光源装置、音源装置及びデータ処理ユニットを設置し、
前記ケースはコントロールインターフェイス及びディスプレイを設置し、該ケースに少なくとも一つの透光面及び音源穴を具有し、
該データ処理ユニットの設定するデータに基づかず、直接光源装置を作動できるスイッチを具有することを特徴とする請求項7記載の安眠装置。